【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
第１の感光体と、
第２の感光体と、
前記第１の感光体に第１画像を形成するために前記第１の感光体を露光し、前記第２の感光体に第２画像を形成するために前記第２の感光体を露光する露光手段と、
前記第１の感光体に形成された前記第１画像を第１色の現像剤を用いて現像する第１の現像手段と、
前記第２の感光体に形成された前記第２画像を前記第１色と異なる第２色の現像剤を用いて現像する第２の現像手段と、
前記第１画像が前記第１の感光体から転写され、前記第２画像が前記第２の感光体から転写される中間転写体と、
前記第１画像と前記第２画像とが前記中間転写体からシートへ転写される転写部と、
前記中間転写体に形成された色ずれ検知用のパターン画像を検出する検出手段と、
前記露光手段と前記第１の現像手段とによって前記第１の感光体に第１パターン画像を形成させ、前記露光手段と前記第２の現像手段とによって前記第２の感光体に第２パターン画像を形成させ、前記検出手段によって前記第１パターン画像と前記第２パターン画像とを検出させ、前記第１パターン画像と前記第２パターン画像との第１の色ずれを検知する制御手段と、
前記露光手段に設けられ、温度を検知する温度検知手段と、
前記温度検知手段により検知された前記温度に基づいて第２の色ずれを決定し、前記第１の色ずれと前記第２の色ずれとに基づいて、前記第１画像と前記第２画像との色ずれを補正する補正手段と、を有し、
前記補正手段は、前記温度検知手段の検知温度が昇温する場合に、第１決定条件に基づいて前記検知温度から前記第２の色ずれを決定し、
前記補正手段は、前記温度検知手段の前記検知温度が降温し、且つ、前回の画像形成からの経過時間が所定時間より長くなければ、前記第１決定条件に基づいて前記検知温度から前記第２の色ずれを決定し、
前記補正手段は、前記温度検知手段の前記検知温度が降温し、且つ、前回の画像形成からの経過時間が前記所定時間より長ければ、第２決定条件に基づいて前回の画像形成からの前記経過時間から前記第２の色ずれを決定することを特徴とする画像形成装置。
【請求項２】
前記露光手段は、光源と、モータの回転によって前記光源からの光を偏向する回転多面鏡と、前記回転多面鏡を収容する光学箱を含み、
前記温度検知手段は前記光学箱の外側に設けられることを特徴とする請求項１に記載の画像形成装置。
【請求項３】
前記露光手段は、光源と、モータの回転によって前記光源からの光を偏向する回転多面鏡と、前記回転多面鏡を収容する光学箱と、前記光源を駆動する基板と、を含み、
前記温度検知手段は前記基板に設けられることを特徴とする請求項１に記載の画像形成装置。
【請求項４】
第１の感光体と、
第２の感光体と、
前記第１の感光体に第１画像を形成するために前記第１の感光体を露光し、前記第２の感光体に第２画像を形成するために前記第２の感光体を露光する露光手段と、
前記第１の感光体に形成された前記第１画像を第１色の現像剤を用いて現像する第１の現像手段と、
前記第２の感光体に形成された前記第２画像を前記第１色と異なる第２色の現像剤を用いて現像する第２の現像手段と、
前記第１画像が前記第１の感光体から転写され、前記第２画像が前記第２の感光体から転写される中間転写体と、
前記第１画像と前記第２画像とが前記中間転写体からシートへ転写される転写部と、
前記中間転写体に形成された色ずれ検知用のパターン画像を検出する検出手段と、
前記露光手段と前記第１の現像手段とによって前記第１の感光体に第１パターン画像を形成させ、前記露光手段と前記第２の現像手段とによって前記第２の感光体に第２パターン画像を形成させ、前記検出手段によって前記第１パターン画像と前記第２パターン画像とを検出させ、前記第１パターン画像と前記第２パターン画像との第１の色ずれを検知する制御手段と、
前記露光手段に設けられ、温度を検知する温度検知手段と、
前記温度検知手段により検知された前記温度に基づいて第２の色ずれを決定し、前記第１の色ずれと前記第２の色ずれとに基づいて、前記第１画像と前記第２画像との色ずれを補正する補正手段と、を有し、
前記補正手段は、前記温度検知手段の検知温度が昇温する場合に、第１決定条件に基づいて前記検知温度から前記第２の色ずれを決定し、
前記補正手段は、前記温度検知手段の前記検知温度が降温し、且つ、前回の画像形成からの経過時間が所定時間より長くなければ、前記第１決定条件に基づいて前記検知温度から前記第２の色ずれを決定し、
前記補正手段は、前記温度検知手段の前記検知温度が降温し、且つ、前回の画像形成からの経過時間が前記所定時間より長ければ、第２決定条件に基づいて前記検知温度から前記第２の色ずれを決定することを特徴とする画像形成装置。
【請求項５】
前記露光手段は、光源と、モータの回転によって前記光源からの光を偏向する回転多面鏡と、前記回転多面鏡を収容する光学箱を含み、
前記温度検知手段は前記光学箱の外側に設けられることを特徴とする請求項４に記載の画像形成装置。
【請求項６】
前記露光手段は、光源と、モータの回転によって前記光源からの光を偏向する回転多面鏡と、前記回転多面鏡を収容する光学箱と、前記光源を駆動する基板と、を含み、
前記温度検知手段は前記基板に設けられることを特徴とする請求項４に記載の画像形成装置。
【請求項７】
第１の感光体と、
第２の感光体と、
前記第１の感光体に第１画像を形成するために前記第１の感光体を露光し、前記第２の感光体に第２画像を形成するために前記第２の感光体を露光する露光手段と、
前記第１の感光体に形成された前記第１画像を第１色の現像剤を用いて現像する第１の現像手段と、
前記第２の感光体に形成された前記第２画像を前記第１色と異なる第２色の現像剤を用いて現像する第２の現像手段と、
前記第１画像が前記第１の感光体から転写され、前記第２画像が前記第２の感光体から転写される中間転写体と、
前記第１画像と前記第２画像とが前記中間転写体からシートへ転写される転写部と、
前記中間転写体に形成された色ずれ検知用のパターン画像を検出する検出手段と、
前記露光手段と前記第１の現像手段とによって前記第１の感光体に第１パターン画像を形成させ、前記露光手段と前記第２の現像手段とによって前記第２の感光体に第２パターン画像を形成させ、前記検出手段によって前記第１パターン画像と前記第２パターン画像とを検出させ、前記第１パターン画像と前記第２パターン画像との第１の色ずれを検知する制御手段と、
前記露光手段に設けられ、温度を検知する温度検知手段と、
前記温度検知手段により検知された前記温度に基づいて第２の色ずれを決定し、前記第１の色ずれと前記第２の色ずれとに基づいて、前記第１画像と前記第２画像との色ずれを補正する補正手段と、を有し、
前記補正手段は、前記温度検知手段の検知温度が昇温する場合に、第１決定条件に基づいて前記検知温度から前記第２の色ずれを決定し、
前記補正手段は、前記温度検知手段の前記検知温度が降温し、且つ、前回の検知温度と前記検知温度との温度差が所定温度以下ならば、前記第１決定条件に基づいて前記検知温度から前記第２の色ずれを決定し、
前記補正手段は、前記温度検知手段の前記検知温度が降温し、且つ、前回の検知温度と前記検知温度との前記温度差が前記所定温度より大きければ、前記第１決定条件と異なる第２決定条件に基づいて前記検知温度から前記第２の色ずれを決定することを特徴とする画像形成装置。
【請求項８】
前記露光手段は、光源と、モータの回転によって前記光源からの光を偏向する回転多面鏡と、前記回転多面鏡を収容する光学箱を含み、
前記温度検知手段は前記光学箱の外側に設けられることを特徴とする請求項７に記載の画像形成装置。
【請求項９】
前記露光手段は、光源と、モータの回転によって前記光源からの光を偏向する回転多面鏡と、前記回転多面鏡を収容する光学箱と、前記光源を駆動する基板と、を含み、
前記温度検知手段は前記基板に設けられることを特徴とする請求項７に記載の画像形成装置。
【手続補正２】
【補正対象書類名】明細書
【補正対象項目名】０００９
【補正方法】変更
【補正の内容】
【０００９】
本発明の画像形成装置は、第１の感光体と、第２の感光体と、前記第１の感光体に第１画像を形成するために前記第１の感光体を露光し、前記第２の感光体に第２画像を形成するために前記第２の感光体を露光する露光手段と、前記第１の感光体に形成された前記第１画像を第１色の現像剤を用いて現像する第１の現像手段と、前記第２の感光体に形成された前記第２画像を前記第１色と異なる第２色の現像剤を用いて現像する第２の現像手段と、前記第１画像が前記第１の感光体から転写され、前記第２画像が前記第２の感光体から転写される中間転写体と、前記第１画像と前記第２画像とが前記中間転写体からシートへ転写される転写部と、前記中間転写体に形成された色ずれ検知用のパターン画像を検出する検出手段と、前記露光手段と前記第１の現像手段とによって前記第１の感光体に第１パターン画像を形成させ、前記露光手段と前記第２の現像手段とによって前記第２の感光体に第２パターン画像を形成させ、前記検出手段によって前記第１パターン画像と前記第２パターン画像とを検出させ、前記第１パターン画像と前記第２パターン画像との第１の色ずれを検知する制御手段と、前記露光手段に設けられ、温度を検知する温度検知手段と、前記温度検知手段により検知された前記温度に基づいて第２の色ずれを決定し、前記第１の色ずれと前記第２の色ずれとに基づいて、前記第１画像と前記第２画像との色ずれを補正する補正手段と、を有し、前記補正手段は、前記温度検知手段の検知温度が昇温する場合に、第１決定条件に基づいて前記検知温度から前記第２の色ずれを決定し、前記補正手段は、前記温度検知手段の前記検知温度が降温し、且つ、前回の画像形成からの経過時間が所定時間より長くなければ、前記第１決定条件に基づいて前記検知温度から前記第２の色ずれを決定し、前記補正手段は、前記温度検知手段の前記検知温度が降温し、且つ、前回の画像形成からの経過時間が前記所定時間より長ければ、第２決定条件に基づいて前回の画像形成からの前記経過時間から前記第２の色ずれを決定することを特徴とする。